(57)【要約】【課題】  アーマチャの変形に起因した制御性の悪化を抑制しつつ、同アーマチャの作動性を向上させることが可能な内燃機関の電磁駆動弁を提供する。【解決手段】  吸気弁１１は、弁体１２、一対の電磁石１３ａ，１３ｂ、両電磁石１３ａ，１３ｂ間を往復動可能に支持されたアーマチャ１４等を備えている。アーマチャ１４は、アーマチャステム２４が挿通固定された中央部から長手方向の両端部にかけて延設された補強リブ３８を有している。又、アーマチャ１４は、補強リブ３８の両側面３８ａから外側へ延設された一対の薄肉部３９ａ，３９ｂを有している。更に、電磁石１３ａ，１３ｂの近傍にあるアーマチャ１４の補強リブ３８と各電磁石１３ａ，１３ｂを構成するコア３０の外周部との間には非磁性体４２が配設されている。【選択図】      図１
2006022784.tif 000002
【特許請求の範囲】
【請求項１】
内燃機関の吸気弁又は排気弁として機能する弁体と、同弁体の弁軸に設けられ、同弁軸の周囲に位置する部位よりもその周縁部位を薄肉に形成したアーマチャと、同アーマチャに電磁力を作用させる電磁石とを備え、同電磁石の電磁力により前記弁体を開閉駆動する内燃機関の電磁駆動弁において、
前記電磁石の外周部に非磁性体を配設したことを特徴とする内燃機関の電磁駆動弁。
【請求項２】
請求項１記載の内燃機関の電磁駆動弁において、
内燃機関の吸気弁又は排気弁として機能する弁体と、同弁体の弁軸に設けられ、同弁軸の周囲に位置する部位よりもその周縁部位を薄肉に形成したアーマチャと、同アーマチャに電磁力を作用させる電磁石とを備え、同電磁石の電磁力により前記弁体を開閉駆動する内燃機関の電磁駆動弁において、
前記電磁石の外周部分に位置するコアを前記アーマチャの薄肉に形成された部分に対して近接するように突出させるとともに、突出部の内周側隅部に非磁性体を配設したことを特徴とする内燃機関の電磁駆動弁。
【請求項３】
請求項１又は２に記載の内燃機関の電磁駆動弁において、
前記非磁性体を前記電磁石近傍に変位した前記アーマチャと接触可能に配設したことを特徴とする内燃機関の電磁駆動弁。
【請求項４】
請求項１〜３のうちいずれか１項に記載の内燃機関の電磁駆動弁において、
前記アーマチャは矩形状に形成されると共に、前記周縁部位よりも厚肉に形成された厚肉部が前記アーマチャの中央部から長手方向の両端部に向かって延びるように形成されていることを特徴とする内燃機関の電磁駆動弁。
【請求項５】
請求項１〜４のうちいずれか１項に記載の内燃機関の電磁駆動弁において、
前記非磁性体はアルミニウム、銅、チタン、セラミックス、並びにガラスの何れかからなることを特徴とする内燃機関の電磁駆動弁。
【発明の詳細な説明】
【技術分野】
【０００１】
本発明は、例えば内燃機関の吸気弁や排気弁として機能する電磁駆動弁に関するものである
【背景技術】
【０００２】
従来、内燃機関の動弁機構として、カムシャフトのカムにより吸気弁や排気弁を開閉駆動するようにした機械式の動弁機構に替えて、これらを電磁力を利用して開閉駆動するようにしたもの（以下、電磁駆動弁）が知られている。この電磁駆動弁は、通常、吸気ポートや排気ポートを開閉する弁体、同弁体の弁軸に設けられたアーマチャ、そのアーマチャの上下に配設されてこれを開弁方向及び閉弁方向に吸引する一対の電磁石等を備えている。
【０００３】
この種の電磁駆動弁においては、消費電力の低減や作動性の向上等を図るために、アーマチャの形状を最適化したものが提案されている（例えば、特許文献１〜３参照。）。特許文献１〜３には、アーマチャの中央部を厚肉に形成する一方周縁部を薄肉に形成したものが記載されている。この場合、電磁石からアーマチャに磁束を効率良く通過させつつ同アーマチャの軽量化を図ることによって、消費電力の低減や作動性の向上、更にはその変形に伴う制御性悪化の抑制等が図られている。
【特許文献１】特開２０００−１７９３１７号公報
【特許文献２】特許２７０５８３５号公報
【特許文献３】特開平８−９３４２６号公報
【発明の開示】
【発明が解決しようとする課題】
【０００４】
ところで、上記特許文献１〜３に記載の電磁駆動弁では、そのアーマチャの中央部を周縁部よりも厚肉に形成しているため、磁束がこのアーマチャの中央部を通過し易くなる。特に、アーマチャが電磁石側に移動すると、その厚肉部と電磁石とが極めて近接した状態となるため、こうした傾向が一層顕著なものとなる。そして、磁束の多くがアーマチャの厚肉部、中央部を通過するようになると、図５に示されるように、アーマチャの往復動方向に対して傾斜した方向に電磁力が作用するようになる。従って、この電磁力の一部が相殺され、アーマチャをその往復動方向に移動させるための電磁力成分が減少してしまうこととなる。その結果、弁体の開閉駆動における所定の応答性を確保できなくなり、或いはこれを確保するためには電磁石に対する供給電力を増大せざるを得なくなる。
【０００５】
この発明は、こうした従来の実情に鑑みてなされたものであり、その目的は、アーマチャの変形に起因した制御性の悪化を抑制しつつ、同アーマチャの作動性を向上させることが可能な内燃機関の電磁駆動を提供することにある。
【課題を解決するための手段】
【０００６】
上記目的を達成するために、請求項１に記載の発明では、内燃機関の吸気弁又は排気弁として機能する弁体と、同弁体の弁軸に設けられ、同弁軸の周囲に位置する部位よりもその周縁部位を薄肉に形成したアーマチャと、同アーマチャに電磁力を作用させる電磁石とを備え、同電磁石の電磁力により前記弁体を開閉駆動する内燃機関の電磁駆動弁において、前記電磁石の外周部に非磁性体を配設したことをその要旨とする。
【０００７】
請求項２に記載の発明では、内燃機関の吸気弁又は排気弁として機能する弁体と、同弁体の弁軸に設けられ、同弁軸の周囲に位置する部位よりもその周縁部位を薄肉に形成したアーマチャと、同アーマチャに電磁力を作用させる電磁石とを備え、同電磁石の電磁力により前記弁体を開閉駆動する内燃機関の電磁駆動弁において、前記電磁石の外周部分に位置するコアを前記アーマチャの薄肉に形成された部分に対して近接するように突出させるとともに、突出部の内周側隅部に非磁性体を配設したことをその要旨とする。
【０００８】
これら請求項１又は請求項２に記載の構成によれば、アーマチャは弁軸の周囲に位置する部位よりもその周縁部位を薄肉にしたため、アーマチャの変形量を小さく抑えることができ、そうした変形に起因した制御性の悪化を抑制することができる。又、電磁石の外周部、或いはコアの突出した部分の内周側隅部に非磁性体を設けるようにしているため、電磁石の外周部からアーマチャの中央部、即ち弁軸の周囲に位置する肉厚部分に磁束が斜めに通過するのを抑制することができる。従って、アーマチャの往復動方向に対して傾斜する電磁力が発生するのを抑制することができ、電磁石における供給電力の増大や弁体の作動応答性低下を抑制することができるようになる。
【０００９】
特に、請求項２に記載の構成によれば、電磁石の外周に位置するコアを前記アーマチャの薄肉に形成された部分に対して近接するように突出させているため、同コアからアーマチャの薄肉に形成された部分、即ちその周縁部位を通過する磁束路を好適に形成することができるようになる。
【００１０】
請求項３に記載の発明では、請求項１又は２記載の発明において、前記非磁性体を前記電磁石近傍に変位した前記アーマチャと接触可能に配設したことをその要旨とする。
この構成によれば、電磁石近傍に変位したアーマチャと接触可能な位置に非磁性体が配置されている。このため、アーマチャは非磁性体との接触面積が増加した分、電磁石と対向する対向面での接触面積を広くすることができる。このため、電磁力によりアーマチャを作動させるに際して、アーマチャと電磁石とが接触する際の接触圧を低く抑えることができ、接触音の発生や接触による摩耗の発生等を抑制することが可能となる。
【００１１】
請求項４に記載の発明では、請求項１〜３のうちいずれか１項に記載の発明において、前記アーマチャは矩形状に形成されると共に、前記周縁部位よりも厚肉に形成された厚肉部が前記アーマチャの中央部から長手方向の両端部に向かって延びるように形成されていることをその要旨とする。
【００１２】
この構成によれば、矩形状をなすアーマチャの中央部から長手方向の両端部に向かって厚肉部が延設されている。この厚肉部によって、特に変形が生じ易いアーマチャの長手方向の剛性をより効果的に高めることができる。このため、電磁力によりアーマチャを作動させるに際して、アーマチャに生じる撓みを効果的に抑制することができ、アーマチャの変形量をより一層小さく抑えることができる。
【００１３】
尚、上記請求項１〜４に記載の構成において、非磁性体としては、請求項５に記載されるように、これをアルミニウム、銅、チタン、セラミックス、並びにガラスとすることができる。
【発明を実施するための最良の形態】
【００１４】
以下、本発明の電磁駆動弁を車両用内燃機関（以下、単に「エンジン」という）の吸気弁及び排気弁として具体化した一実施形態について図１〜図５に従って説明する。尚、排気弁は、その弁体が燃焼室に通じる排気ポートを開閉する点を除き、吸気弁と同様の構成であるため、以下、吸気弁の構成についてのみ説明する。
【００１５】
図１に示されるように、吸気弁１１は、弁体１２、一対の電磁石１３ａ，１３ｂ、両電磁石１３ａ，１３ｂ間を往復動可能に支持されたアーマチャ１４、アーマチャ１４を各電磁石１３ａ，１３ｂから離間する方向に付勢する一対のスプリング１５ａ，１５ｂ等を備えている。吸気弁１１は、これらをハウジング１７内に収容した状態でエンジンのシリンダヘッド１８に固定されている。
【００１６】
弁体１２は、軸１２ａと、この軸１２ａの下端部に固定された傘部１２ｂとから構成されている。弁体１２は、軸１２ａがガイド部材１９を介してシリンダヘッド１８に往復動可能に支持されている。シリンダヘッド１８には燃焼室に通じる吸気ポート２１が形成されており、弁体１２の軸１２ａが往復動することにより、傘部１２ｂがシリンダヘッド１８に形成された弁座２２に離着座され、吸気ポート２１が開閉される。
【００１７】
弁体１２は、軸１２ａの上端部がアーマチャステム２４に駆動連結されている。アーマチャステム２４はアーマチャ１４の往復動を弁体１２に伝達するためのもので、その略中間位置にアーマチャ１４が固定されている。これにより、弁体１２は吸気ポート２１を開閉するに際し、アーマチャ１４と一体になって往復動するように構成されている。尚、本実施形態においては、アーマチャステム２４と、アーマチャステム２４と一体になって駆動する軸１２ａとから弁軸が構成されている。
【００１８】
図２に示されるように、アーマチャ１４は軟磁性体からなり、その平面形状が略矩形状に形成されている。アーマチャ１４はその中央に挿通孔１４ａを有しており、同挿通孔１４ａにはアーマチャステム２４が挿通された状態で固定されている。
【００１９】
アーマチャステム２４の上端部にはアッパリテーナ２６ａが固定されている。このアッパリテーナ２６ａとハウジング１７との間には、電磁石１３ａからアーマチャ１４を離間する向き、即ち弁体１２を開弁する向き（図１に示す下方）に常に付勢するアッパスプリング１５ａが配設されている。
【００２０】
一方、アーマチャステム２４の下端部にはロアリテーナ２６ｂが固定されている。このロアリテーナ２６ｂとシリンダヘッド１８との間には、電磁石１３ｂからアーマチャ１４を離間する向き、即ち弁体１２を閉弁する向き（図１に示す上方）に常に付勢するロアスプリング１５ｂが配設されている。アッパスプリング１５ａ及びロアスプリング１５ｂはそれらの付勢力が釣り合った状態で、アーマチャ１４を両電磁石１３ａ，１３ｂ間の中間位置に保持するように調整されている。
【００２１】
各電磁石１３ａ，１３ｂは、コア３０と、コイル３１とから構成されている。コア３０は複数の磁性鋼板を積層してなり、その平面形状がアーマチャ１４と同じく略矩形状に形成されている。尚、ここで、アーマチャ１４及び各電磁石１３ａ，１３ｂに矩形状のものを採用することにより、それらの対向面積（磁路面積）を広く確保することができ、例えばエンジンの外形寸法により配設空間が制限を受ける場合等においては有利となる。
【００２２】
コア３０のアーマチャ１４と対向する面には、コイル３１を収容保持するためのコイル収容部３４が形成されている。コイル収容部３４は、挿通孔３３の両側に並行に設けられた２本の溝３４ａ，３４ｂからなりコア３０の表面に形成されている。このコイル収容部３４に略矩形状に巻回されたコイル３１が収容保持されることにより各電磁石１３ａ，１３ｂが構成されている。又、各電磁石１３ａ，１３ｂはその中央に挿通孔３３を有しており、この挿通孔３３にアーマチャステム２４の両端部が挿通支持されることで、同アーマチャステム２４が両電磁石１３ａ，１３ｂにより往復動可能に支持されている。
【００２３】
アッパスプリング１５ａの上方には、アーマチャステム２４のリフト位置を検出するための位置検出センサ（図示せず）が設けられている。この位置検出センサにより検出されたアーマチャステム２４のリフト位置に基づいて、各電磁石１３ａ，１３ｂの通電制御を行うことにより、コイル３１に電流が供給され、コア３０が励磁され、アーマチャ１４と各電磁石１３ａ，１３ｂとの間に電磁力を発生させている。そして、この電磁力をアーマチャ１４に作用させることによって、アーマチャ１４は両電磁石１３ａ，１３ｂ間を所定のタイミングで往復動する。この一連の制御を行うに際して、アーマチャ１４はその中心部と周縁部とで各電磁石１３ａ，１３ｂとのギャップを均一に保ちながら、両電磁石１３ａ，１３ｂ間を往復動するのが好ましい。これは、アーマチャステム２４のリフト位置に基づいて、アーマチャ１４と各電磁石１３ａ，１３ｂとのギャップを正確に検出し、アーマチャ１４の作動に必要な電磁力を安定に発生させるためである。
【００２４】
次に、アーマチャ１４の形状について詳細に説明する。
図２に示されるように、アーマチャ１４には、アーマチャステム２４が挿通固定された中央部から長手方向の両端部に延びるように厚肉部としての補強リブ３８が設けられている。この補強リブ３８はアーマチャ１４全体の剛性を高めるためのもので、アーマチャ１４の中央部位をその周縁部位よりも肉厚にすることで形成されている。補強リブ３８は、その幅及び厚みがアーマチャ１４の中央部から長手方向の両端部にかけて一定となるように形成されている。補強リブ３８は、矩形状をなすアーマチャ１４の変形が生じ易い方向である長手方向に沿って延びるように形成されている。
【００２５】
又、アーマチャ１４には、補強リブ３８の両側面３８ａの中央部から外側へ水平に延びる一対の薄肉部３９ａ，３９ｂが設けられている。この薄肉部３９ａ，３９ｂは補強リブ３８に対して薄肉に形成されており、各薄肉部３９ａ，３９ｂと補強リブ３８との境界部は段差状をなしている。各薄肉部３９ａ，３９ｂはその幅及び厚みがアーマチャ１４の中央部から長手方向の両端部にかけて一定となるように形成されている。
【００２６】
更に、アーマチャ１４は、その平面形状について補強リブ３８の表面積Ｓ１と両薄肉部３９ａ，３９ｂの表面積Ｓ２との比が所定の値となるように形成されている。ここで、表面積Ｓ２は、薄肉部３９ａの表面積と薄肉部３９ｂの表面積との総和を意味している。この場合、表面積Ｓ１とＳ２との比の値は、補強リブ３８によるアーマチャ１４全体の剛性向上と、薄肉部３９ａ，３９ｂによるアーマチャ１４全体の軽量化との両立を図ることができる最適な値に設定されている。
【００２７】
続いて、上記のように構成されたアーマチャ１４を吸引駆動する電磁石１３ａ，１３ｂ並びにその周辺構造について詳細に説明する。
図３に示されるように、各電磁石１３ａ，１３ｂを構成するコア３０の外周部には、アーマチャ１４側に向けて突状に形成された突出部としての支持突部４０が設けられている。この支持突部４０の内周面とコア３０の上面とにより囲まれた内周側隅部には、非磁性材料により直方体状に形成された非磁性体４２が配設されている。この非磁性体４２は、各電磁石１３ａ，１３ｂの通電制御を通じてコイル３１周りに発生する磁束（図４参照）が、コア３０の外周部からアーマチャ１４の中央部、即ち補強リブ３８に直接通過するのを抑制するためのものである。このため、この非磁性体４２は、電磁石１３ａ，１３ｂの近傍に変位したアーマチャ１４の補強リブ３８とコア３０の外周部との間のスペースに配設されている。即ち、非磁性体４２は、コア３０の外周部からアーマチャ１４の補強リブ３８へ通過しようとする磁束を遮断可能な位置に配設されている。尚、非磁性体４２としては、例えば、アルミニウム、銅、チタン、樹脂、セラミックス、硝子等といった非磁性材料を採用するのが好ましい。
【００２８】
又、非磁性体４２は、電磁石１３ａ，１３ｂの近傍に変位したアーマチャ１４の薄肉部３９ａ，３９ｂと接触可能な位置に配設されている。非磁性体４２は、アーマチャ１４と対向する側の対向面４２ａとコア３０の支持突部４０の先端面４０ａとがほぼ面一となるように配設されている。これにより、各電磁石１３ａ，１３ｂ近傍に変位したアーマチャ１４は、支持突部４０の先端面４０ａと非磁性体４２の対向面４２ａとからなる接触面と面接触するようになっている。尚、図３に示す実線はアーマチャ１４の電磁石１３ｂ近傍における停止位置を示し、二点鎖線は同アーマチャ１４が電磁石１３ａ近傍における停止位置を示している。
【００２９】
さて、上記のように構成された吸気弁１１の作用について図４及び図５に基づいて説明する。尚、図４の矢印は吸気弁１１の電磁石１３ｂ付近で形成される磁束路５０を示している。
【００３０】
図４に示されるように、各電磁石１３ａ，１３ｂのコイル３１に対する通電制御が開始されると、同コイル３１の電磁力によりコア３０が励磁され、アーマチャ１４は各電磁石１３ａ，１３ｂとの間に発生する電磁力によって吸引される。このとき、各電磁石１３ａ，１３ｂ付近においては、コイル３１周り（図４に示す矢印の向き）に磁束が発生し、アーマチャ１４と各電磁石１３ａ，１３ｂとの間で磁束路５０が略矩形環状をなすように形成される。
【００３１】
ここで、本実施形態の吸気弁１１においては、コア３０の外周部とアーマチャ１４の補強リブ３８との間に非磁性体４２が配設されている。このため、コイル３１周りに発生する磁束は非磁性体４２を避けるようにして、コア３０の外周部からアーマチャ１４の周縁部に通過するようになる。これにより、図５に示されるように、コア３０の外周部からアーマチャ１４の中央部へ磁束が通過し難くなり、アーマチャ１４を作動させるために形成される磁束路５０に分力が生じ難くなる。このように、アーマチャ１４の中央部に補強リブ３８が設けられていたとしても、同補強リブ３８とコア３０の外周部との間に非磁性体４２が存在することによって、アーマチャ１４の往復動方向とほぼ一致した方向に強い電磁力が作用するようになる。
【００３２】
上記実施形態によれば以下のような効果を得ることができる。
・アーマチャ１４には、その中央部から長手方向の両端部にかけて補強リブ３８が延設されている。この補強リブ３８によって、アーマチャ１４全体の剛性を高めることができる。これにより、アーマチャ１４は電磁石１３ａ，１３ｂとの間で生じる電磁力により等分布荷重を受けたとしても、アーマチャ１４に撓みを生じ難くさせることできる。このため、各電磁石１３ａ，１３ｂの電磁力によりアーマチャ１４を作動させるに際してその変形量が小さく抑えられる。このことから、アーマチャ１４の中心部と周縁部とで電磁石１３ａ，１３ｂとのギャップを均一にすることが容易となる。よって、アーマチャステム２４のリフト位置に基づいて、アーマチャ１４と各電磁石１３ａ，１３ｂとのギャップを正確に検出することができ、アーマチャ１４の作動方向に作用させるべく電磁力を安定して発生させることができる。従って、アーマチャ１４の変形に起因した吸気弁１１の制御性の悪化を防止することができる。
【００３３】
・各電磁石１３ａ，１３ｂの近傍に変位したアーマチャ１４の補強リブ３８とコア３０の外周部との間には非磁性体４２が配設されている。この場合、各電磁石１３ａ，１３ｂの外周部からアーマチャ１４の中央部へ通過しようとする磁束を遮断することができる。このため、アーマチャ１４が各電磁石１３ａ，１３ｂの近傍に変位したとき、コイル３１周りに発生した磁束をコア３０の外周部からアーマチャ１４の中央部へ通過し難くすることができる。これにより、アーマチャ１４を作動させるために形成される磁束路５０に分力が生じ難くなり、アーマチャ１４の往復動方向とほぼ一致した方向に強い電磁力を発生させることができる。よって、アーマチャ１４に磁束を効率良く通過させることができ、各電磁石１３ａ，１３ｂにおける供給電力の増大や弁体１２の作動応答性低下を抑制することができる。
【００３４】
・非磁性体４２は、電磁石１３ａ，１３ｂの近傍に変位したアーマチャ１４の各薄肉部３９ａ，３９ｂと接触可能な位置に配設されている。これにより、アーマチャ１４は非磁性体４２との接触面積が増加した分、各電磁石１３ａ，１３ｂと対向する対向面での接触面積を広くすることができる。このため、各電磁石１３ａ，１３ｂの電磁力によりアーマチャ１４を作動させるに際して、アーマチャ１４と各電磁石１３ａ，１３ｂとが接触する際の接触圧を低く抑えることができ、接触音の発生や接触による摩耗の発生等を抑制することが可能となる。
【００３５】
・補強リブ３８は、略矩形状をなすアーマチャ１４の長手方向に沿って延びるように形成されている。この補強リブ３８によって、特に変形が生じ易いアーマチャ１４の長手方向の剛性をより効果的に高めることができる。このため、各電磁石１３ａ，１３ｂによりアーマチャ１４を作動させるに際して、アーマチャ１４に生じる撓みを効果的に抑制することができ、アーマチャ１４の変形、ひいてはその変形に伴う制御性の悪化を抑制することができる。
【００３６】
・アーマチャ１４には、補強リブ３８の両側面３８ａから外側へ水平に延びる一対の薄肉部３９ａ，３９ｂが設けられている。この薄肉部３９ａ，３９ｂによって、作動部であるアーマチャ１４の重量が低減し、同アーマチャ１４の軽量化を図ることができる。このため、各電磁石１３ａ，１３ｂによってアーマチャ１４を作動させるに際して、アーマチャ１４の作動性をより一層向上させることができる。又、アーマチャ１４は、その平面形状について補強リブ３８の表面積Ｓ１と両薄肉部３９ａ，３９ｂの表面積Ｓ２との比が所定の値となるように形成されている。このため、表面積Ｓ１とＳ２との比の値を最適化することによって、補強リブ３８によるアーマチャ１４全体の剛性向上と、両薄肉部３９ａ，３９ｂによるアーマチャ１４全体の軽量化との両立を図ることが可能となる。
【００３７】
・非磁性体４２としては、具体的には、アルミニウム、銅、チタン、樹脂、セラミックス、硝子等といった非磁性材料が好適に使用される。これら非磁性体４２をアーマチャ１４の中央部の補強リブ３８と各電磁石１３ａ，１３ｂの外周部との間に配設するだけで、コイル３１周りに発生した磁束を各電磁石１３ａ，１３ｂの外周部からアーマチャ１４の中央部へ通過し難くすることができる。つまり、単純な構成によって、磁束路５０に分力が生じるのを抑制することができ、アーマチャ１４の作動方向に作用させるべく電磁力を容易に強くすることができる。
【００３８】
なお、上記実施形態は以下のように変更してもよい。
・本実施形態において、直方体形状の非磁性体４２を採用したが、例えば、この非磁性体４２をアーマチャステム２４側に位置する部分ほど薄肉に形成するなど、その形状についてはこれを任意に変更することができる。
【００３９】
・本実施形態において、コア３０の外周部に、アーマチャ１４側に向けて突出する支持突部４０を形成するようにしたが、同支持突部４０を省略することもできる。同構成によっても非磁性体４２の存在により好適な磁束路の形成が可能である。
【００４０】
・本実施形態において、アーマチャ１４及び各電磁石１３ａ，１３ｂを構成するコア３０の平面形状を矩形から円形や任意の多角形に変更してもよい。
・本実施形態において、アーマチャ１４の長手方向に延設された補強リブ３８を１本から複数本に変更してもよい。この場合、複数本の補強リブ３８を交差させたり又は並設させたりすることにより、アーマチャ１４全体の剛性を高めることができる。
【００４１】
・本実施形態において、アーマチャ１４の中央部から長手方向両端部にかけて延設された補強リブ３８を、同アーマチャ１４の中央部のみに設けてもよい。
【図面の簡単な説明】
【００４２】
【図１】本実施形態における吸気弁の概略断面図。
【図２】同じく吸気弁を構成するアーマチャの斜視図。
【図３】同じくアーマチャの拡大断面図。
【図４】同じく吸気弁の電磁石付近に形成される磁束路を示す図。
【図５】従来の吸気弁の電磁石付近に形成される磁束路を示す図。
【符号の説明】
【００４３】
１１…電磁駆動弁としての吸気弁、１２…弁体、１２ａ…弁軸としての軸、１３ａ，１３ｂ…電磁石、１４…アーマチャ、２４…弁軸としてのアーマチャステム、３０…コア、３８…厚肉部としての補強リブ、４０…突出部としての支持突部、４２…非磁性体。
【図１】
2006022784.tif 000003
【図２】
2006022784.tif 000004
【図３】
2006022784.tif 000005
【図４】
2006022784.tif 000006
【図５】
2006022784.tif 000007